(57)【要約】【課題】フォーカスレンズ群を小型化及び軽量化して迅速で静穏なフォーカシングを行うとともに、より短い最短撮影距離を実現する。【解決手段】通常撮影モードでは、無限遠から所定の撮影距離まで、第１ａレンズ群Ｇ１ａを固定した状態で第１ｂレンズ群Ｇ１ｂを連続的に移動させることによりフォーカシングを行う。移行モードでは、通常撮影モードにおいて所定の撮影距離より短い撮影距離にフォーカシングさせようとしたとき、第１ａレンズ群Ｇ１ａと第１ｂレンズ群Ｇ１ｂの双方を移動させることにより、通常撮影モードからマクロ撮影モードに移行する。マクロ撮影モードでは、所定の撮影距離から最短撮影距離まで、第１ａレンズ群Ｇ１ａを固定した状態で第１ｂレンズ群Ｇ１ｂを連続的に移動させることによりフォーカシングを行う。【選択図】図４４
2014085561.tif 000002
【特許請求の範囲】
【請求項１】
複数のレンズ群からなり、この複数のレンズ群のうち少なくとも１つのレンズ群を光軸方向に移動させてズーミングを行うズームレンズ系において、
上記複数のレンズ群中の特定のレンズ群は、フォーカシング時に移動するフォーカスレンズ群を含んでおり、
無限遠から所定の撮影距離まで、上記特定のレンズ群中のフォーカスレンズ群を連続的に移動させることによりフォーカシングを行う通常撮影モードと、
上記通常撮影モードにおいて上記所定の撮影距離より短い撮影距離にフォーカシングさせようとしたとき、上記特定のレンズ群中のフォーカスレンズ群以外のレンズ群を物体側に移動させることにより、上記通常撮影モードからマクロ撮影モードに移行する移行モードと、
上記所定の撮影距離から最短撮影距離まで、上記特定のレンズ群中のフォーカスレンズ群を連続的に移動させることによりフォーカシングを行う上記マクロ撮影モードと、を有することを特徴とするズームレンズ系。
【請求項２】
請求項１記載のズームレンズ系において、上記特定のレンズ群は、上記複数のレンズ群のうち最も物体側に配置された正の屈折力の第１レンズ群であり、上記フォーカスレンズ群は、上記第１レンズ群中の像側に配置されているズームレンズ系。
【請求項３】
請求項１記載のズームレンズ系において、上記特定のレンズ群は、上記複数のレンズ群のうち最も物体側に配置された負の屈折力の第１レンズ群であり、上記フォーカスレンズ群は、上記第１レンズ群中の像側に配置されているズームレンズ系。
【請求項４】
請求項２または３記載のズームレンズ系において、短焦点距離端から長焦点距離端への変倍に際し、上記第１レンズ群は像面に対して実質的に固定されているズームレンズ系。
【請求項５】
物体側から順に、正の屈折力の第１レンズ群と、負の屈折力の第２レンズ群と、正の屈折力の第３レンズ群と、正の屈折力の第４レンズ群とからなり、短焦点距離端から長焦点距離端への変倍に際し、少なくとも第２レンズ群と第３レンズ群が移動するズームレンズ系において、
上記第１レンズ群は、物体側から順に、第１ａレンズ群と、フォーカシング時に移動するフォーカスレンズ群である第１ｂレンズ群とからなり、
無限遠から所定の撮影距離まで、上記第１ａレンズ群を固定した状態で上記第１ｂレンズ群を連続的に移動させることによりフォーカシングを行う通常撮影モードと、
上記通常撮影モードにおいて上記所定の撮影距離より短い撮影距離にフォーカシングさせようとしたとき、上記第１ａレンズ群と第１ｂレンズ群の双方を移動させることにより、上記通常撮影モードからマクロ撮影モードに移行する移行モードと、
上記所定の撮影距離から最短撮影距離まで、上記第１ａレンズ群を固定した状態で上記第１ｂレンズ群を連続的に移動させることによりフォーカシングを行う上記マクロ撮影モードと、を有することを特徴とするズームレンズ系。
【請求項６】
請求項５記載のズームレンズ系において、次の条件式（１）を満足するズームレンズ系。
（１）１．２＜ｆ１ｂ／ｆ１Ｇ＜２．０
但し、
ｆ１ｂ：第１ｂレンズ群の焦点距離、
ｆ１Ｇ：第１レンズ群の焦点距離。
【請求項７】
請求項５または６記載のズームレンズ系において、上記通常撮影モードとマクロ撮影モードでは、遠距離から近距離へのフォーカシングに際し、上記第１ｂレンズ群を固定の第１ａレンズ群に対して接近させるように移動し、通常撮影モードからマクロ撮影モードへの上記移行モード中は、上記第１ａレンズ群と第１ｂレンズ群を互いに離間させるように移動するズームレンズ系。
【請求項８】
請求項５ないし７のいずれか１項記載のズームレンズ系において、次の条件式（２）を満足するズームレンズ系。
（２）−４．０＜ｆ３Ｇ／ｆ２Ｇ＜−２．０
但し、
ｆ３Ｇ：第３レンズ群の焦点距離、
ｆ２Ｇ：第２レンズ群の焦点距離。
【請求項９】
物体側から順に、負の屈折力の第１レンズ群と、正の屈折力の第２レンズ群とからなり、短焦点距離端から長焦点距離端への変倍に際し、第１レンズ群と第２レンズ群の間隔が減少するズームレンズ系において、
上記第１レンズ群は、物体側から順に、第１ａレンズ群と、フォーカシング時に移動するフォーカスレンズ群である第１ｂレンズ群とからなり、
無限遠から所定の撮影距離まで、上記第１ａレンズ群を固定した状態で上記第１ｂレンズ群を連続的に移動させることによりフォーカシングを行う通常撮影モードと、
上記通常撮影モードにおいて上記所定の撮影距離より短い撮影距離にフォーカシングさせようとしたとき、上記第１ａレンズ群と第１ｂレンズ群の双方を移動させることにより、上記通常撮影モードからマクロ撮影モードに移行する移行モードと、
上記所定の撮影距離から最短撮影距離まで、上記第１ａレンズ群を固定した状態で上記第１ｂレンズ群を連続的に移動させることによりフォーカシングを行う上記マクロ撮影モードと、を有することを特徴とするズームレンズ系。
【請求項１０】
請求項９記載のズームレンズ系において、短焦点距離端から長焦点距離端への変倍に際し、第１レンズ群が一旦像側に移動した後に物体側に移動し、第２レンズ群が単調に物体側に移動するズームレンズ系。
【発明の詳細な説明】
【技術分野】
【０００１】
本発明は、無限遠物体から近距離物体までの撮影が可能なマクロ撮影機能を搭載したズームレンズ系に関する。
【背景技術】
【０００２】
近年、デジタルカメラ等の電子撮像装置に用いられるズームレンズ系として、無限遠物体から近距離物体までの撮影が可能なマクロ撮影機能を搭載したタイプのものが知られている。このタイプのズームレンズ系には、フォーカスレンズ群を小型化及び軽量化して迅速で静穏なフォーカシングを行うとともに、より短い最短撮影距離を実現することが要求されている。
【０００３】
特許文献１には、正負負正の４群ズームレンズ系において、第１レンズ群を前群と後群に分割し、無限遠物体から近距離物体へのフォーカシング時に、第１レンズ群の前群を固定してこれに第１レンズ群の後群を接近させるフォーカシング方式（インナーフォーカス方式）が開示されている。
【０００４】
特許文献２には、正負正正の４群ズームレンズ系において、無限遠物体から近距離物体へのフォーカシング時に、第１レンズ群と第４レンズ群を固定とし、第２レンズ群と第３レンズ群を像側と物体側にそれぞれ移動させるフォーカシング方式（フローティングフォーカス方式）が開示されている。
【先行技術文献】
【特許文献】
【０００５】
【特許文献１】特許第３４４５０９５号公報
【特許文献２】特許第３７１０２７７号公報
【発明の概要】
【発明が解決しようとする課題】
【０００６】
しかしながら、特許文献１において、最短撮影距離を短くするためには、被写体距離の変化による諸収差（球面収差、像面湾曲、色収差）を補正するべく第１レンズ群の構成枚数や重量を増加せざるを得ず、迅速で静穏なフォーカシングを行うことが難しい。また、最短撮影距離を短くするためには、第１レンズ群内に後群の繰り出し量を大きく確保しなければならず、第１レンズ群ひいてはレンズ全系が大型化及び重量化してしまう。
【０００７】
特許文献２は、フォーカシング時に第２レンズ群と第３レンズ群を同時に移動させることから、迅速で静穏なフォーカシングを行うことが難しい。また、フォーカシング駆動系を含むレンズ全系が大型化及び重量化してしまう。
【０００８】
本発明は以上の問題意識に基づいてなされたものであり、フォーカスレンズ群を小型化及び軽量化して迅速で静穏なフォーカシングを行うとともに、より短い最短撮影距離を実現することができるズームレンズ系を得ることを目的とする。
【課題を解決するための手段】
【０００９】
本発明のズームレンズ系は、その一態様では、複数のレンズ群からなり、この複数のレンズ群のうち少なくとも１つのレンズ群を光軸方向に移動させてズーミングを行うズームレンズ系において、上記複数のレンズ群中の特定のレンズ群は、フォーカシング時に移動するフォーカスレンズ群を含んでおり、無限遠から所定の撮影距離まで、上記特定のレンズ群中のフォーカスレンズ群を連続的に移動させることによりフォーカシングを行う通常撮影モードと、上記通常撮影モードにおいて上記所定の撮影距離より短い撮影距離にフォーカシングさせようとしたとき、上記特定のレンズ群中のフォーカスレンズ群以外のレンズ群を物体側に移動させることにより、上記通常撮影モードからマクロ撮影モードに移行する移行モードと、上記所定の撮影距離から最短撮影距離まで、上記特定のレンズ群中のフォーカスレンズ群を連続的に移動させることによりフォーカシングを行う上記マクロ撮影モードと、を有することを特徴としている。
【００１０】
上記特定のレンズ群を、上記複数のレンズ群のうち最も物体側に配置された正の屈折力の第１レンズ群とし、上記フォーカスレンズ群を、上記第１レンズ群中の像側に配置することができる。
【００１１】
あるいは、上記特定のレンズ群を、上記複数のレンズ群のうち最も物体側に配置された負の屈折力の第１レンズ群とし、上記フォーカスレンズ群を、上記第１レンズ群中の像側に配置することもできる。
【００１２】
本発明のズームレンズ系は、短焦点距離端から長焦点距離端への変倍に際し、上記第１レンズ群を像面に対して実質的に固定することが好ましい。ここで、「第１レンズ群を像面に対して実質的に固定する」とは、ズーミング中に第１レンズ群が光軸方向に全く移動しない態様に加えて、ズーミング中に第１レンズ群が光軸方向に移動する場合であっても、焦点距離毎のフォーカスレンズ群の移動量が殆ど変わらない態様を含むことを意味している。
【００１３】
本発明のズームレンズ系は、別の態様にあっては、物体側から順に、正の屈折力の第１レンズ群と、負の屈折力の第２レンズ群と、正の屈折力の第３レンズ群と、正の屈折力の第４レンズ群とからなり、短焦点距離端から長焦点距離端への変倍に際し、少なくとも第２レンズ群と第３レンズ群が移動するズームレンズ系において、上記第１レンズ群は、物体側から順に、第１ａレンズ群と、フォーカシング時に移動するフォーカスレンズ群である第１ｂレンズ群とからなり、無限遠から所定の撮影距離まで、上記第１ａレンズ群を固定した状態で上記第１ｂレンズ群を連続的に移動させることによりフォーカシングを行う通常撮影モードと、上記通常撮影モードにおいて上記所定の撮影距離より短い撮影距離にフォーカシングさせようとしたとき、上記第１ａレンズ群と第１ｂレンズ群の双方を移動させることにより、上記通常撮影モードからマクロ撮影モードに移行する移行モードと、上記所定の撮影距離から最短撮影距離まで、上記第１ａレンズ群を固定した状態で上記第１ｂレンズ群を連続的に移動させることによりフォーカシングを行う上記マクロ撮影モードと、を有することを特徴としている。
【００１４】
本発明のズームレンズ系は、次の条件式（１）を満足することが好ましい。
（１）１．２＜ｆ１ｂ／ｆ１Ｇ＜２
但し、
ｆ１ｂ：第１ｂレンズ群の焦点距離、
ｆ１Ｇ：第１レンズ群の焦点距離、
である。
【００１５】
上記通常撮影モードとマクロ撮影モードでは、遠距離から近距離へのフォーカシングに際し、上記第１ｂレンズ群を固定の第１ａレンズ群に対して接近させるように移動し、通常撮影モードからマクロ撮影モードへの上記移行モード中は、上記第１ａレンズ群と第１ｂレンズ群を互いに離間させるように移動することが好ましい。
【００１６】
本発明のズームレンズ系は、次の条件式（２）を満足することが好ましい。
（２）−４．０＜ｆ３Ｇ／ｆ２Ｇ＜−２．０
但し、
ｆ３Ｇ：第３レンズ群の焦点距離、
ｆ２Ｇ：第２レンズ群の焦点距離、
である。
【００１７】
本発明のズームレンズ系は、さらに別の態様にあっては、物体側から順に、負の屈折力の第１レンズ群と、正の屈折力の第２レンズ群とからなり、短焦点距離端から長焦点距離端への変倍に際し、第１レンズ群と第２レンズ群の間隔が減少するズームレンズ系において、上記第１レンズ群は、物体側から順に、第１ａレンズ群と、フォーカシング時に移動するフォーカスレンズ群である第１ｂレンズ群とからなり、無限遠から所定の撮影距離まで、上記第１ａレンズ群を固定した状態で上記第１ｂレンズ群を連続的に移動させることによりフォーカシングを行う通常撮影モードと、上記通常撮影モードにおいて上記所定の撮影距離より短い撮影距離にフォーカシングさせようとしたとき、上記第１ａレンズ群と第１ｂレンズ群の双方を移動させることにより、上記通常撮影モードからマクロ撮影モードに移行する移行モードと、上記所定の撮影距離から最短撮影距離まで、上記第１ａレンズ群を固定した状態で上記第１ｂレンズ群を連続的に移動させることによりフォーカシングを行う上記マクロ撮影モードと、を有することを特徴としている。
【００１８】
本発明のズームレンズ系は、短焦点距離端から長焦点距離端への変倍に際し、第１レンズ群を一旦像側に移動させた後に物体側に移動させ、第２レンズ群を単調に物体側に移動させることが好ましい。
【発明の効果】
【００１９】
本発明によれば、フォーカスレンズ群を小型化及び軽量化して迅速で静穏なフォーカシングを行うとともに、より短い最短撮影距離を実現することができるズームレンズ系が得られる。
【図面の簡単な説明】
【００２０】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】図１のように構成されたズームレンズ系の短焦点距離端での通常撮影モードの所定の撮影距離（0.75ｍ）における諸収差図である。
【図６】図１のように構成されたズームレンズ系の短焦点距離端でのマクロ撮影モードの所定の撮影距離（0.75ｍ）における諸収差図である。
【図７】図１のように構成されたズームレンズ系の短焦点距離端でのマクロ撮影モードの最短撮影距離（0.35ｍ）における諸収差図である。
【図８】図１のように構成されたズームレンズ系の中間焦点距離での通常撮影モードの所定の撮影距離（0.75ｍ）における諸収差図である。
【図９】図１のように構成されたズームレンズ系の中間焦点距離でのマクロ撮影モードの所定の撮影距離（0.75ｍ）における諸収差図である。
【図１０】図１のように構成されたズームレンズ系の中間焦点距離でのマクロ撮影モードの最短撮影距離（0.35ｍ）における諸収差図である。
【図１１】図１のように構成されたズームレンズ系の長焦点距離端での通常撮影モードの所定の撮影距離（0.75ｍ）における諸収差図である。
【図１２】図１のように構成されたズームレンズ系の長焦点距離端でのマクロ撮影モードの所定の撮影距離（0.75ｍ）における諸収差図である。
【図１３】図１のように構成されたズームレンズ系の長焦点距離端でのマクロ撮影モードの最短撮影距離（0.35ｍ）における諸収差図である。
【図１４】本発明によるズームレンズ系の数値実施例２の短焦点距離端における無限遠合焦時のレンズ構成図である。
【図１５】図１４のように構成されたズームレンズ系の短焦点距離端における無限遠合焦時の諸収差図である。
【図１６】図１４のように構成されたズームレンズ系の中間焦点距離における無限遠合焦時の諸収差図である。
【図１７】図１４のように構成されたズームレンズ系の長焦点距離端における無限遠合焦時の諸収差図である。
【図１８】本発明によるズームレンズ系の数値実施例３の短焦点距離端における無限遠合焦時のレンズ構成図である。
【図１９】図１８のように構成されたズームレンズ系の短焦点距離端における無限遠合焦時の諸収差図である。
【図２０】図１８のように構成されたズームレンズ系の中間焦点距離における無限遠合焦時の諸収差図である。
【図２１】図１８のように構成されたズームレンズ系の長焦点距離端における無限遠合焦時の諸収差図である。
【図２２】本発明によるズームレンズ系の数値実施例４の短焦点距離端における無限遠合焦時のレンズ構成図である。
【図２３】図２２のように構成されたズームレンズ系の短焦点距離端における無限遠合焦時の諸収差図である。
【図２４】図２２のように構成されたズームレンズ系の中間焦点距離における無限遠合焦時の諸収差図である。
【図２５】図２２のように構成されたズームレンズ系の長焦点距離端における無限遠合焦時の諸収差図である。
【図２６】本発明によるズームレンズ系の数値実施例５の短焦点距離端における無限遠合焦時のレンズ構成図である。
【図２７】図２６のように構成されたズームレンズ系の短焦点距離端における無限遠合焦時の諸収差図である。
【図２８】図２６のように構成されたズームレンズ系の中間焦点距離における無限遠合焦時の諸収差図である。
【図２９】図２６のように構成されたズームレンズ系の長焦点距離端における無限遠合焦時の諸収差図である。
【図３０】本発明によるズームレンズ系の数値実施例６の短焦点距離端における無限遠合焦時のレンズ構成図である。
【図３１】図３０のように構成されたズームレンズ系の短焦点距離端における無限遠合焦時の諸収差図である。
【図３２】図３０のように構成されたズームレンズ系の中間焦点距離における無限遠合焦時の諸収差図である。
【図３３】図３０のように構成されたズームレンズ系の長焦点距離端における無限遠合焦時の諸収差図である。
【図３４】図３０のように構成されたズームレンズ系の短焦点距離端での通常撮影モードの所定の撮影距離（0.75ｍ）における諸収差図である。
【図３５】図３０のように構成されたズームレンズ系の短焦点距離端でのマクロ撮影モードの所定の撮影距離（0.75ｍ）における諸収差図である。
【図３６】図３０のように構成されたズームレンズ系の短焦点距離端でのマクロ撮影モードの最短撮影距離（0.35ｍ）における諸収差図である。
【図３７】図３０のように構成されたズームレンズ系の中間焦点距離での通常撮影モードの所定の撮影距離（0.75ｍ）における諸収差図である。
【図３８】図３０のように構成されたズームレンズ系の中間焦点距離でのマクロ撮影モードの所定の撮影距離（0.75ｍ）における諸収差図である。
【図３９】図３０のように構成されたズームレンズ系の中間焦点距離でのマクロ撮影モードの最短撮影距離（0.35ｍ）における諸収差図である。
【図４０】図３０のように構成されたズームレンズ系の長焦点距離端での通常撮影モードの所定の撮影距離（0.75ｍ）における諸収差図である。
【図４１】図３０のように構成されたズームレンズ系の長焦点距離端でのマクロ撮影モードの所定の撮影距離（0.75ｍ）における諸収差図である。
【図４２】図３０のように構成されたズームレンズ系の長焦点距離端でのマクロ撮影モードの最短撮影距離（0.35ｍ）における諸収差図である。
【図４３】第１実施形態のズームレンズ系のズーム軌跡を示す簡易移動図である。
【図４４】（ａ）〜（ｃ）は第１実施形態のズームレンズ系のフォーカシングモードを示しており、（ａ）は短焦点距離端における通常撮影モード、（ｂ）は短焦点距離端における移行モード、（ｃ）は短焦点距離端におけるマクロ撮影モードをそれぞれ示している。
【図４５】第２実施形態のズームレンズ系のズーム軌跡を示す簡易移動図である。
【図４６】（ａ）〜（ｃ）は第２実施形態のズームレンズ系のフォーカシングモードを示しており、（ａ）は長焦点距離端における通常撮影モード、（ｂ）は長焦点距離端における移行モード、（ｃ）は長焦点距離端におけるマクロ撮影モードをそれぞれ示している。
【発明を実施するための形態】
【００２１】
本実施形態のズームレンズ系は、数値実施例１−５からなる［第１実施形態］と、数値実施例６からなる［第２実施形態］とで、基本的なレンズ構成と動作（ズーミング動作、フォーカシング動作）が異なる。
【００２２】
［第１実施形態］
第１実施形態のズームレンズ系は、図４３の簡易移動図に示すように、物体側から順に、正の屈折力の第１レンズ群（特定のレンズ群）Ｇ１と、負の屈折力の第２レンズ群Ｇ２と、正の屈折力の第３レンズ群Ｇ３と、正の屈折力の第４レンズ群Ｇ４とからなる。第１レンズ群Ｇ１は、物体側から順に、正の屈折力の第１ａレンズ群Ｇ１ａと、正の屈折力の第１ｂレンズ群Ｇ１ｂ（フォーカスレンズ群）とからなる。第２レンズ群Ｇ２と第３レンズ群Ｇ３の間に位置する絞りＳは、第３レンズ群Ｇ３と一体に移動する。Ｉは像面である。
【００２３】
このズームレンズ系は、短焦点距離端（Ｗｉｄｅ）から長焦点距離端（Ｔｅｌｅ）への変倍（ズーミング）に際し、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４の間隔が増加する。短焦点距離端から長焦点距離端への変倍に際し、第１ａレンズ群Ｇ１ａと第１ｂレンズ群Ｇ１ｂの間隔は不変である。
【００２４】
より具体的に、第１レンズ群Ｇ１（第１ａレンズ群Ｇ１ａ、第１ｂレンズ群Ｇ１ｂ）と第４レンズ群Ｇ４は、短焦点距離端から長焦点距離端への変倍に際し、像面Ｉに対して実質的に固定されている（光軸方向に移動しない）。ここで、「第１レンズ群Ｇ１が像面Ｉに対して実質的に固定されている」とは、ズーミング中に第１レンズ群Ｇ１が光軸方向に全く移動しない態様に加えて、ズーミング中に第１レンズ群Ｇ１が光軸方向に若干量移動する場合であっても、焦点距離毎のフォーカスレンズ群（第１ｂレンズ群Ｇ１ｂ）の移動量が殆ど変わらない態様を含むことを意味している。
第２レンズ群Ｇ２は、短焦点距離端から長焦点距離端への変倍に際し、単調に像側に移動する。
第３レンズ群Ｇ３は、短焦点距離端から長焦点距離端への変倍に際し、単調に物体側に移動するか、または一旦像側に移動してから短焦点距離端の位置を超えて物体側に移動する（結果として短焦点距離端に対して物体側に移動する）。
【００２５】
図１、図１４、図１８、図２２、図２６のレンズ構成図に示すように、第１ａレンズ群Ｇ１ａは、物体側から順に、物体側から順に位置する負レンズ１１と正レンズ１２の接合レンズ、及び正レンズ１３からなる。第１ｂレンズ群Ｇ１ｂは、正単レンズ１４からなる。第２レンズ群Ｇ２は、物体側から順に、負レンズ２１、物体側から順に位置する負レンズ２２と正レンズ２３の接合レンズ、及び負レンズ２４からなる。第３レンズ群Ｇ３は、物体側から順に位置する正レンズ３１と負レンズ３２の接合レンズからなる。第４レンズ群Ｇ４は、物体側から順に、正レンズ４１、物体側から順に位置する正レンズ４２と負レンズ４３の接合レンズ、正レンズ４４、及び負レンズ４５からなる。
【００２６】
第１実施形態のズームレンズ系は、第１レンズ群Ｇ１の一部である第１ｂレンズ群Ｇ１ｂの正単レンズ１４を、フォーカシング時に移動するフォーカスレンズ群としている。これにより、フォーカスレンズ群を小型化及び軽量化して迅速で静穏なフォーカシングが可能になり、例えば光学ファインダー用分岐ミラーを省略したミラーレスカメラにおける小型化及び軽量化の要求に応えることができる。
【００２７】
そして第１実施形態のズームレンズ系は、無限遠物体から有限距離物体へのフォーカシングに関して、「通常撮影モード」、「移行モード」及び「マクロ撮影モード」という特徴的なフォーカシングモードを有している。第１実施形態のズームレンズ系は、ズーミングによる焦点距離の長短にかかわらず、いずれの焦点距離においても「マクロ撮影モード」に滞在することができる。またズーミングによる焦点距離の変化によらず、所定の距離に合焦させた時の、第１ｂレンズ群Ｇ１ｂの第１ａレンズ群Ｇ１ａに対する位置関係は一定なので、仮に所定の物体に合焦後にズーミングしても合焦状態が実質的に変化することがない。
【００２８】
図４４（ａ）に示すように、通常撮影モードでは、無限遠から所定の撮影距離（0.75ｍ）まで、第１ａレンズ群Ｇ１ａを固定した状態で、第１ｂレンズ群Ｇ１ｂを固定の第１ａレンズ群Ｇ１ａに接近させるように（物体側に）連続的に移動させてフォーカシングを行う。
【００２９】
図４４（ｂ）に示すように、通常撮影モードにおいて所定の撮影距離（0.75ｍ）より短い距離の物体にフォーカシングさせようとしたとき、第１ａレンズ群Ｇ１ａを物体側に移動させることにより、フォーカシングモードを通常撮影モードからマクロ撮影モードに移行させる。移行動作中、第１ｂレンズ群Ｇ１ｂは、図４４（ｂ）の破線で示すように所定の撮影距離（0.75ｍ）における第１ａレンズ群Ｇ１ａと第１ｂレンズ群Ｇ１ｂとの間隔を離間しつつ、第１ａレンズ群Ｇ１ａと共に物体側に移動しても良いし、第１ａレンズ群Ｇ１ａを物体側に移動させながら、第１ｂレンズ群Ｇ１ｂを一点鎖線で示すように像側に移動して間隔を離間させても良い。さらに、各数値実施例のレンズデータに示すように、第１ａレンズ群Ｇ１ａの移動に応じて第１ｂレンズ群Ｇ１ｂの位置を適当に制御しながら第１ａレンズ群Ｇ１ａと第１ｂレンズ群Ｇ１ｂの間隔を離間すれば、所定の撮影距離（0.75ｍ）の物体に合焦させた状態のまま、通常撮影モードからマクロ撮影モードに移行させることもできる。
【００３０】
図４４（ｃ）に示すように、マクロ撮影モードでは、所定の撮影距離（0.75ｍ）から最短撮影距離（0.35ｍ）まで、第１ａレンズ群Ｇ１ａを固定した状態で、移行モードにおいて離間した第１ａレンズ群Ｇ１ａと第１ｂレンズ群Ｇ１ｂとの空間を使って、第１ｂレンズ群Ｇ１ｂを固定の第１ａレンズ群Ｇ１ａに接近させるように連続的に移動させて、さらに近距離までフォーカシングを行う。
【００３１】
条件式（１）は、第１ｂレンズ群Ｇ１ｂの焦点距離と、第１レンズ群Ｇ１の焦点距離との比を規定している。条件式（１）を満足することで、最短撮影距離を短くするとともに、フォーカシング移動量を抑えて第１レンズ群Ｇ１ひいてはレンズ全系を小型化し、さらに偏芯感度を押さえて製造を容易にすることができる。
条件式（１）の上限を超えると、第１ｂレンズ群Ｇ１ｂのパワーが弱くなりすぎて、フォーカシング移動量が増加する結果、第１レンズ群Ｇ１ひいてはレンズ全系が大型化（全長が増大）してしまう。また無理にフォーカシング移動量を押さえようとすると最短撮影距離を短くすることができない。
条件式（１）の下限を超えると、第１ｂレンズ群Ｇ１ｂのパワーが強くなりすぎて、偏芯感度が大きくなって製造が困難になる。
【００３２】
条件式（２）は、第３レンズ群Ｇ３の焦点距離と、第２レンズ群Ｇ２の焦点距離との比を規定している。条件式（２）を満足することで、短焦点距離端から長焦点距離端への変倍に際し、（第１レンズ群１Ｇを像面に対して止めた場合でも）短焦点距離端から長焦点距離端への変倍に際するコマ収差や像面湾曲などの収差変動を抑えることができる。
条件式（２）の上限を超えると、第３レンズ群Ｇ３の正のパワーが、第２レンズ群Ｇ２の負のパワーに対して強くなりすぎて、短焦点距離端から長焦点距離端への変倍に際して、コマ収差の変動が大きくなる。
条件式（２）の下限を超えると、第２レンズ群Ｇ２の負のパワーが、第３レンズ群Ｇ３の正のパワーに対して強くなりすぎて、短焦点距離端から長焦点距離端への変倍に際して、像面湾曲の変動を抑えることが困難になる。
【００３３】
［第２実施形態］
第２実施形態のズームレンズ系は、図４５の簡易移動図に示すように、物体側から順に、負の屈折力の第１レンズ群（特定のレンズ群）Ｇ１’と、正の屈折力の第２レンズ群Ｇ２’とからなる。第１レンズ群Ｇ１’は、物体側から順に、負の屈折力の第１ａレンズ群Ｇ１ａ’と、正の屈折力の第１ｂレンズ群（フォーカスレンズ群）Ｇ１ｂ’とからなる。第１レンズ群Ｇ１’と第２レンズ群Ｇ２’の間に位置する絞りＳは、第２レンズ群Ｇ２’と一体に移動する。Ｉは像面である。
【００３４】
このズームレンズ系は、短焦点距離端（Ｗｉｄｅ）から長焦点距離端（Ｔｅｌｅ）への変倍に際し、第１レンズ群Ｇ１’と第２レンズ群Ｇ２’の間隔が減少する。短焦点距離端から長焦点距離端への変倍に際し、第１ａレンズ群Ｇ１ａ’と第１ｂレンズ群Ｇ１ｂ’の間隔は不変である。
【００３５】
より具体的に、第１レンズ群Ｇ１’（第１ａレンズ群Ｇ１ａ’、第１ｂレンズ群Ｇ１ｂ’）は、短焦点距離端から長焦点距離端への変倍に際し、一旦像側に移動した後に物体側に移動する。ここで、焦点距離毎のフォーカスレンズ群（第１ｂレンズ群Ｇ１ｂ’）の移動量は殆ど変わらない。
第２レンズ群Ｇ２’は、短焦点距離端から長焦点距離端への変倍に際し、単調に物体側に移動する。
【００３６】
図３０のレンズ構成図に示すように、第１ａレンズ群Ｇ１ａ’は、物体側から順に、負レンズ１１’と、負レンズ１２’と、負レンズ１３’とからなる。負レンズ１１’は、その像側の面に合成樹脂材料による非球面層が接着形成されたハイブリッドレンズである。第１ｂレンズ群Ｇ１ｂ’は、正単レンズ１４’からなる。第２レンズ群Ｇ２’は、物体側から順に、正レンズ２１’、物体側から順に位置する正レンズ２２’と負レンズ２３’の接合レンズ、及び正レンズ２４’からなる。正レンズ２１’と正レンズ２４’はともに、その両側の面が非球面である。
【００３７】
第２実施形態のズームレンズ系は、第１レンズ群Ｇ１’の一部である第１ｂレンズ群Ｇ１ｂ’の正単レンズ１４’を、フォーカシング時に移動するフォーカスレンズ群としている。これにより、フォーカスレンズ群を小型化及び軽量化して迅速で静穏なフォーカシングが可能になり、例えば光学ファインダー用分岐ミラーを省略したミラーレスカメラにおける小型化及び軽量化の要求に応えることができる。
【００３８】
そして第２実施形態のズームレンズ系は、無限遠物体から有限距離物体へのフォーカシングに関して、「通常撮影モード」、「移行モード」及び「マクロ撮影モード」という特徴的なフォーカシングモードを有している。第２実施形態のズームレンズ系は、ズーミングによる焦点距離の長短にかかわらず、いずれの焦点距離においても「マクロ撮影モード」に滞在することができる。またズーミングによる焦点距離の変化によらず、所定の距離に合焦させた時の、第１ｂレンズ群Ｇ１ｂ’の第１ａレンズ群Ｇ１ａ’に対する位置関係は一定なので、仮に所定の物体に合焦後にズーミングしても合焦状態は実質的に変化することがない。
【００３９】
図４６は第２実施形態における各移行モードとフォーカシングを説明するためのもので、長焦点距離端におけるレンズ配置を表している。
【００４０】
図４６（ａ）に示すように、通常撮影モードでは、無限遠から所定の撮影距離（0.75ｍ）まで、第１ａレンズ群Ｇ１ａ’を固定した状態で、第１ｂレンズ群Ｇ１ｂ’を固定の第１ａレンズ群Ｇ１ａ’から離間させるように（像側に）連続的に移動させてフォーカシングを行う。
【００４１】
図４６（ｂ）に示すように、通常撮影モードにおいて所定の撮影距離（0.75ｍ）より短い距離の物体にフォーカシングさせようとしたとき、第１ａレンズ群Ｇ１ａ’と第１ｂレンズ群Ｇ１ｂ’を物体側に移動させることにより、フォーカシングモードを通常撮影モードからマクロ撮影モードに移行させる。移行動作中は図４６（ｂ）に実線で示すように所定の撮影距離（0.75ｍ）における第１ａレンズ群Ｇ１ａ’と第１ｂレンズ群Ｇ１ｂ’との間隔を狭めながら双方物体側に移動しても、破線で示すように所定の撮影距離（0.75ｍ）における第１ａレンズ群Ｇ１ａ’と第１ｂレンズ群Ｇ１ｂ’との間隔を維持しつつ（第１ａレンズ群Ｇ１ａ’と第１ｂレンズ群Ｇ１ｂ’とを一体的に）移動しても良いし、一点鎖線で示すように第１ａレンズ群Ｇ１ａ’と第１ｂレンズ群Ｇ１ｂ’との間隔を離間させるように、双方物体側に移動しても良い。さらに、各実施例のレンズデータに示すように第１ａレンズ群Ｇ１ａ’の移動に応じて第１ｂレンズ群Ｇ１ｂ’の位置を適当に制御すれば、所定の撮影距離（0.75ｍ）の物体に合焦させた状態のまま、通常撮影モードからマクロ撮影モードに移行させることもできる。
【００４２】
図４６（ｃ）に示すように、マクロ撮影モードでは、所定の撮影距離（0.75ｍ）から最短撮影距離（0.35ｍ）まで、第１ａレンズ群Ｇ１ａ’を固定した状態で、第１ｂレンズ群Ｇ１ｂ’を固定の第１ａレンズ群Ｇ１ａ’から離間させるように連続的に移動させてフォーカシングを行う。
【００４３】
このように第１実施形態及び第２実施形態のズームレンズ系は、無限遠物体から有限距離物体へのフォーカシングに関して、「通常撮影モード」、「移行モード」及び「マクロ撮影モード」のフォーカシングモードを設けてこれらを順次切り替えることで、フォーカスレンズ群を小型化及び軽量化して迅速で静穏なフォーカシングを行うとともに、全ての焦点距離において、より短い最短撮影距離を実現することに成功している。
【実施例】
【００４４】
次に具体的な数値実施例１−６を示す。諸収差図及び表中において、ｄ線、ｇ線、Ｃ線、Ｆ線、ｅ線はそれぞれの波長に対する収差、Ｓはサジタル、Ｍはメリディオナル、FNO.はＦナンバー、fは全系の焦点距離、PMは撮影倍率、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示している。長さの単位は[mm]である。Ｆナンバー、焦点距離、撮影倍率、半画角、像高、バックフォーカス、レンズ全長及び変倍に伴って間隔が変化するレンズ間隔ｄは、短焦点距離端−中間焦点距離−長焦点距離端の順に示している。「近１ｗ」は短焦点距離端における通常撮影モードの所定の撮影距離（0.75ｍ）、「近２ｗ」は短焦点距離端におけるマクロ撮影モードの所定の撮影距離（0.75ｍ）、「近３ｗ」は短焦点距離端におけるマクロ撮影モードの最短撮影距離（0.35ｍ）を示している。「近１ｍ」は中間焦点距離における通常撮影モードの所定の撮影距離（0.75ｍ）、「近２ｍ」は中間焦点距離におけるマクロ撮影モードの所定の撮影距離（0.75ｍ）、「近３ｍ」は中間焦点距離におけるマクロ撮影モードの最短撮影距離（0.35ｍ）を示している。「近１ｔ」は長焦点距離端における通常撮影モードの所定の撮影距離（0.75ｍ）、「近２ｔ」は長焦点距離端におけるマクロ撮影モードの所定の撮影距離（0.75ｍ）、「近３ｔ」は長焦点距離端におけるマクロ撮影モードの最短撮影距離（0.35ｍ）を示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００４５】
［数値実施例１］
図１〜図１３と表１〜表６は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。図５、図６、図７はそれぞれ、短焦点距離端での通常撮影モードの所定の撮影距離（0.75ｍ）、マクロ撮影モードの所定の撮影距離（0.75ｍ）、マクロ撮影モードの最短撮影距離（0.35ｍ）における諸収差図である。図８、図９、図１０はそれぞれ、中間焦点距離での通常撮影モードの所定の撮影距離（0.75ｍ）、マクロ撮影モードの所定の撮影距離（0.75ｍ）、マクロ撮影モードの最短撮影距離（0.35ｍ）における諸収差図である。図１１、図１２、図１３はそれぞれ、長焦点距離端での通常撮影モードの所定の撮影距離（0.75ｍ）、マクロ撮影モードの所定の撮影距離（0.75ｍ）、マクロ撮影モードの最短撮影距離（0.35ｍ）における諸収差図である。表１は面データ、表２は無限遠合焦時の各種データ、表３は短焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表４は中間焦点距離での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表５は長焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表６はレンズ群データである。
【００４６】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなる。第２レンズ群Ｇ２と第３レンズ群Ｇ３の間に位置する絞りＳは、第３レンズ群Ｇ３と一体に移動する。第４レンズ群Ｇ４と像面Ｉとの間には、光学フィルタＯＰが配置されている。
【００４７】
第１レンズ群Ｇ１は、物体側から順に、正の屈折力の第１ａレンズ群Ｇ１ａと、正の屈折力の第１ｂレンズ群Ｇ１ｂとからなる。第１ａレンズ群Ｇ１ａは、物体側から順に、物体側から順に位置する物体側に凸の負メニスカスレンズ１１と物体側に凸の正メニスカスレンズ１２の接合レンズ、及び両凸正レンズ１３からなる。第１ｂレンズ群Ｇ１ｂは、物体側に凸の正メニスカス単レンズ１４からなる。
【００４８】
第２レンズ群Ｇ２は、物体側から順に、両凹負レンズ２１、物体側から順に位置する両凹負レンズ２２と物体側に凸の正メニスカスレンズ２３の接合レンズ、及び像側に凸の負メニスカスレンズ２４からなる。
【００４９】
第３レンズ群Ｇ３は、物体側から順に位置する両凸正レンズ３１と像側に凸の負メニスカスレンズ３２の接合レンズからなる。
【００５０】
第４レンズ群Ｇ４は、物体側から順に、物体側に凸の正メニスカスレンズ４１、物体側から順に位置する両凸正レンズ４２と両凹負レンズ４３の接合レンズ、両凸正レンズ４４、及び像側に凸の負メニスカスレンズ４５からなる。
【００５１】
（表１）
面データ
面番号          R          d          N(d)        ν(d)
1            46.480      1.000      1.80691       42.2
2            18.884      3.317      1.48749       70.2
3            48.011      0.200
4            23.834      3.752      1.49700       81.6
5          -231.525      4.000
6            24.550      2.587      1.49700       81.6
7           708.256        d7
8           -49.075      0.800      1.80400       44.9
9            11.341      1.712
10          -23.633      0.800      1.48749       70.2
11           12.098      1.561      1.84666       23.8
12           74.468      0.582
13          -70.915      0.750      1.72916       54.7
14         -128.660       d14
15絞           ∞       1.000
16           36.685      2.511      1.65005       51.3
17          -10.100      0.750      1.80518       25.4
18          -23.483       d18
19           29.337      1.216      1.77250       49.6
20           87.330      0.250
21            7.965      2.850      1.49700       81.6
22         -728.652      0.750      1.65844       50.9
23            9.409      6.196
24           28.374      1.850      1.60562       43.7
25          -11.812      1.091
26           -7.633      0.800      1.80100       35.0
27          -27.980      8.200
28             ∞        1.050      1.51633       64.1
29             ∞          -
（表２）
各種データ
ズーム比（変倍比）    2.94
短焦点距離端          中間焦点距離          長焦点距離端
FNO.            2.9                   2.8                   2.9
f             15.30                 28.00                 45.00
PM            0.000                 0.000                 0.000
W              18.5                   9.8                   6.1
Y              5.00                  5.00                  5.00
fB             1.11                  1.11                  1.11
L             69.99                 69.99                 69.99
d5            4.000                 4.000                 4.000
d7            1.400                 8.361                11.120
d14          14.214                 8.215                 0.786
d18           3.694                 2.731                 7.401
（表３）
近１ｗ                近２ｗ                近３ｗ
PM           -0.023                -0.023                -0.059
fB             1.11                  1.11                  1.11
L             69.99                 71.57                 71.57
d5            2.133                 4.000                 1.166
d7            3.267                 2.982                 5.816
d14          14.214                14.214                14.214
d18           3.694                 3.694                 3.694
（表４）
近１ｍ                近２ｍ                近３ｍ
PM           -0.042                -0.043                -0.108
fB             1.11                  1.11                  1.11
L             69.99                 71.57                 71.57
d5            2.133                 4.000                 1.166
d7            10.229                9.943                12.777
d14          14.214                14.214                14.214
d18           3.694                 3.694                 3.694
（表５）
近１ｔ                近２ｔ                近３ｔ
PM           -0.068                -0.069                -0.174
fB             1.11                  1.11                  1.11
L             69.99                 71.57                 71.57
d5            2.133                 4.000                 1.166
d7            12.988               12.702                15.536 
d14          14.214                14.214                14.214
d18           3.694                 3.694                 3.694
（表６）
レンズ群データ
群          始面          焦点距離
1              1             32.14
1a             1             75.22
1b             6             51.11
2              8            -10.42
3             16             27.70
4             19             36.78
【００５２】
［数値実施例２］
図１４〜図１７と表７〜表１２は、本発明によるズームレンズ系の数値実施例２を示している。図１４は、短焦点距離端における無限遠合焦時のレンズ構成図である。図１５、図１６、図１７はそれぞれ、短焦点距離端、中間焦点距離、長焦点距離端それぞれの無限遠合焦時の諸収差図である。表７は面データ、表８は無限遠合焦時の各種データ、表９は短焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表１０は中間焦点距離での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表１１は長焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表１２はレンズ群データである。
【００５３】
この数値実施例２のレンズ構成は、以下の点を除いて、数値実施例１のレンズ構成と同様である。
（１）第１レンズ群Ｇ１の第１ｂレンズ群Ｇ１ｂが両凸正単レンズ１４からなる。
【００５４】
（表７）
面データ
面番号          R          d          N(d)        ν(d)
1            47.190      1.000      1.81369       42.5
2            18.894      3.159      1.48749       70.2
3            43.258      0.200
4            24.108      3.694      1.49700       81.6
5          -256.528      4.000
6            23.152      2.894      1.49700       81.6
7        -10615.414        d7
8           -49.322      0.800      1.79942       45.1
9            11.348      1.712
10          -24.186      0.800      1.48749       70.2
11           12.180      1.561      1.84666       23.8
12           73.129      0.582
13          -71.785      0.750      1.72916       54.7
14         -126.616       d14
15絞           ∞       1.000
16           36.386      2.511      1.65004       51.5
17          -10.172      0.750      1.80518       25.4
18          -23.529       d18
19           29.464      1.216      1.77250       49.6
20           86.359      0.250
21            7.957      2.850      1.49700       81.6
22        -1525.334      0.750      1.65844       50.9
23            9.403      6.140
24           28.810      1.850      1.60562       43.7
25          -11.809      1.091
26           -7.616      0.800      1.80100       35.0
27          -28.853      8.200
28             ∞        1.050      1.51633       64.1
29             ∞          -
（表８）
各種データ
ズーム比（変倍比）    2.88
短焦点距離端          中間焦点距離          長焦点距離端
FNO.            2.9                   2.8                   2.9
f             15.28                 28.00                 44.00
PM            0.000                 0.000                 0.000
W              18.6                   9.9                   6.3
Y              5.00                  5.00                  5.03
fB             1.11                  1.11                  1.11
L             70.16                 70.16                 70.16
d5            4.000                 4.000                 4.000
d7            1.400                 8.422                11.071
d14          14.337                 8.246                 1.145
d18           3.709                 2.779                 7.231
（表９）
近１ｗ                近２ｗ                近３ｗ
PM           -0.023                -0.023                -0.059
fB             1.11                  1.11                  1.11
L             70.16                 71.74                 71.74
d5            2.234                 4.000                 1.317
d7            3.157                 2.973                 5.655
d14          14.337                14.337                14.337
d18           3.709                 3.709                 3.709
（表１０）
近１ｍ                近２ｍ                近３ｍ
PM           -0.042                -0.043                -0.109
fB             1.11                  1.11                  1.11
L             70.16                 71.74                 71.74
d5            2.243                 4.000                 1.317
d7            10.179                9.995                12.677
d14          14.337                14.337                14.337
d18           3.709                 3.709                 3.709
（表１１）
近１ｔ                近２ｔ                近３ｔ
PM           -0.066                -0.067                -0.171
fB             1.11                  1.11                  1.11
L             70.16                 71.74                 71.74
d5            2.243                 4.000                 1.318
d7            12.828               12.643                15.325
d14          14.337                14.337                14.337
d18           3.709                 3.709                 3.709
（表１２）
レンズ群データ
群          始面          焦点距離
1              1             32.06
1a             1             88.34
1b             6             46.49
2              8            -10.52
3             16             27.57
4             19             38.08
【００５５】
［数値実施例３］
図１８〜図２１と表１３〜表１８は、本発明によるズームレンズ系の数値実施例３を示している。図１８は、短焦点距離端における無限遠合焦時のレンズ構成図である。図１９、図２０、図２１はそれぞれ、短焦点距離端、中間焦点距離、長焦点距離端それぞれの無限遠合焦時の諸収差図である。表１３は面データ、表１４は無限遠合焦時の各種データ、表１５は短焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表１６は中間焦点距離での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表１７は長焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表１８はレンズ群データである。
【００５６】
この数値実施例３のレンズ構成は、以下の点を除いて、数値実施例１のレンズ構成と同様である。
（１）第１レンズ群Ｇ１の第１ｂレンズ群Ｇ１ｂが両凸正単レンズ１４からなる。
（２）第４レンズ群Ｇ４において、正レンズ４２が物体側に凸の正メニスカスレンズであり、負レンズ４３が物体側に凸の負メニスカスレンズである。
【００５７】
（表１３）
面データ
面番号          R          d          N(d)        ν(d)
1            47.571      1.000      1.81392       44.7
2            18.851      2.885      1.49700       81.6
3            36.211      0.200
4            24.973      3.551      1.49700       81.6
5          -328.838      4.000
6            21.818      3.386      1.49700       81.6
7          -373.110        d7
8           -46.440      0.800      1.79196       44.2
9            11.456      1.712
10          -25.268      0.800      1.48749       70.2
11           12.217      1.561      1.84666       23.8
12           73.003      0.582
13          -75.747      0.750      1.72916       54.7
14         -116.222       d14
15絞           ∞       1.000
16           35.766      2.511      1.65001       51.7
17          -10.279      0.750      1.80518       25.4
18          -23.665       d18
19           29.716      1.216      1.77250       49.6
20           84.709      0.250
21            7.939      2.850      1.49700       81.6
22         1153.092      0.750      1.65844       50.9
23            9.397      5.956
24           29.570      1.850      1.60562       43.7
25          -11.779      1.091
26           -7.581      0.800      1.80100       35.0
27          -30.795      8.200
28             ∞        1.050      1.51633       64.1
29             ∞          -
（表１４）
各種データ
ズーム比（変倍比）    2.88
短焦点距離端          中間焦点距離          長焦点距離端
FNO.            2.9                   2.9                   2.9
f             15.30                 28.00                 44.00
PM            0.000                 0.000                 0.000
W              18.6                   9.9                   6.2
Y              5.00                  5.00                  5.00
fB             1.14                  1.14                  1.14
L             70.40                 70.40                 70.40
d5            4.000                 4.000                 4.000
d7            1.400                 8.705                11.403
d14          14.466                 8.257                 1.010
d18           3.897                 2.801                 7.350
（表１５）
近１ｗ                近２ｗ                近３ｗ
PM           -0.023                -0.023                -0.060
fB             1.14                  1.14                  1.14
L             70.40                 72.02                 72.02
d5            2.303                 4.000                 1.377
d7            3.097                 3.017                 5.640
d14          14.466                14.466                14.466
d18           3.897                 3.897                 3.897
（表１６）
近１ｍ                近２ｍ                近３ｍ
PM           -0.042                -0.043                -0.109
fB             1.14                  1.14                  1.14
L             70.40                 72.02                 72.02
d5            2.303                 4.000                 1.377
d7           10.403                10.322                12.945
d14          14.466                14.466                14.466
d18           3.897                 3.897                 3.897
（表１７）
近１ｔ                近２ｔ                近３ｔ
PM           -0.067                -0.067                -0.172
fB             1.14                  1.14                  1.14
L             70.40                 72.02                 72.02
d5            2.303                 4.000                 1.377
d7           13.100                13.020                15.642
d14          14.466                14.466                14.466
d18           3.897                 3.897                 3.897
（表１８）
レンズ群データ
群          始面          焦点距離
1              1             32.49
1a             1            123.50
1b             6             41.59
2              8            -10.84
3             16             27.38
4             19             40.58
【００５８】
［数値実施例４］
図２２〜図２５と表１９〜表２４は、本発明によるズームレンズ系の数値実施例４を示している。図２２は、短焦点距離端における無限遠合焦時のレンズ構成図である。図２３、図２４、図２５はそれぞれ、短焦点距離端、中間焦点距離、長焦点距離端それぞれの無限遠合焦時の諸収差図である。表１９は面データ、表２０は無限遠合焦時の各種データ、表２１は短焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表２２は中間焦点距離での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表２３は長焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表２４はレンズ群データである。
【００５９】
この数値実施例４のレンズ構成は、以下の点を除いて、数値実施例１のレンズ構成と同様である。
（１）第４レンズ群Ｇ４において、正レンズ４２が物体側に凸の正メニスカスレンズであり、負レンズ４３が物体側に凸の負メニスカスレンズである。
【００６０】
（表１９）
面データ
面番号          R          d          N(d)        ν(d)
1            42.303      1.000      1.79563       39.9
2            19.268      3.781      1.49700       81.6
3            48.083      0.200
4            24.523      4.215      1.48749       70.2
5          -250.000      4.000
6            27.212      2.592      1.49700       81.6
7           402.644        d7
8           -47.020      0.800      1.80400       46.9
9            11.717      1.712
10          -21.364      0.800      1.48749       70.2
11           12.332      1.561      1.84666       23.8
12           64.936      0.582
13          -82.104      0.750      1.72916       54.7
14         -102.924       d14
15絞           ∞       1.000
16           35.000      2.511      1.65011       50.2
17          -10.040      0.750      1.80518       25.4
18          -24.445       d18
19           29.490      1.216      1.77250       49.6
20           86.811      0.250
21            7.898      2.850      1.49700       81.6
22         2095.896      0.750      1.65844       50.9
23            9.445      5.751
24           26.950      1.850      1.60562       43.7
25          -11.864      1.091
26           -7.547      0.800      1.80100       35.0
27          -26.628      8.200
28             ∞        1.050      1.51633       64.1
29             ∞          -
（表２０）
各種データ
ズーム比（変倍比）    2.94
短焦点距離端          中間焦点距離          長焦点距離端
FNO.            2.9                   2.8                   2.9
f             15.30                 28.00                 45.00
PM            0.000                 0.000                 0.000
W              18.6                   9.9                   6.1
Y              5.00                  5.00                  5.00
fB             1.30                  1.30                  1.30
L             70.93                 70.93                 70.93
d5            4.000                 4.000                 4.000
d7            1.400                 8.589                11.460
d14          14.255                 8.404                 1.091
d18           3.919                 2.581                 7.022
（表２１）
近１ｗ                近２ｗ                近３ｗ
PM           -0.023                -0.024                -0.060
fB             1.30                  1.30                  1.30
L             70.93                 72.66                 72.66
d5            1.824                 4.000                 0.691
d7            3.576                 3.122                 6.431
d14          14.255                14.255                14.255
d18           3.919                 3.919                 3.919
（表２２）
近１ｍ                近２ｍ                近３ｍ
PM           -0.042                -0.043                -0.109
fB             1.30                  1.30                  1.30
L             70.93                 72.66                 72.66
d5            1.824                 4.000                 0.693
d7            10.765               10.311                13.618
d14          14.255                14.255                14.255
d18           3.919                 3.919                 3.919
（表２３）
近１ｔ                近２ｔ                近３ｔ
PM           -0.068                -0.069                -0.175
fB             1.30                  1.30                  1.30
L             70.93                 72.66                 72.66
d5            1.824                 4.000                 0.693
d7           13.637                13.183                16.490
d14          14.255                14.255                14.255
d18           3.919                 3.919                 3.919
（表２４）
レンズ群データ
群          始面          焦点距離
1              1             33.48
1a             1            68.022
1b             6            58.588
2              8            -10.42
3             16             28.15
4             19             34.57
【００６１】
［数値実施例５］
図２６〜図２９と表２５〜表３０は、本発明によるズームレンズ系の数値実施例５を示している。図２６は、短焦点距離端における無限遠合焦時のレンズ構成図である。図２７、図２８、図２９はそれぞれ、短焦点距離端、中間焦点距離、長焦点距離端それぞれの無限遠合焦時の諸収差図である。表２５は面データ、表２６は無限遠合焦時の各種データ、表２７は短焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表２８は中間焦点距離での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表２９は長焦点距離端での通常撮影モードの所定の撮影距離（0.75ｍ）、マクロ撮影モードの所定の撮影距離（0.75ｍ）、マクロ撮影モードの最短撮影距離（0.35ｍ）における各レンズ間隔データ、表３０はレンズ群データである。
【００６２】
この数値実施例５のレンズ構成は、数値実施例４のレンズ構成と同様である。
【００６３】
（表２５）
面データ
面番号          R          d          N(d)        ν(d)
1            42.545      1.000      1.79329       40.0
2            19.309      3.741      1.49700       81.6
3            47.301      0.200
4            24.453      4.364      1.48749       70.2
5          -157.601      4.000
6            27.032      2.472      1.49700       81.6
7           183.990        d7
8           -45.921      0.800      1.79997       45.9
9            11.926      1.712
10          -22.080      0.800      1.48749       70.2
11           12.377      1.561      1.84666       23.8
12           65.015      0.582
13          -81.903      0.750      1.72916       54.7
14         -104.252       d14
15絞          ∞        1.000
16           35.215      2.511      1.65001       50.0
17          -10.052      0.750      1.80518       25.4
18          -24.379       d18
19           29.590      1.216      1.77250       49.6
20           86.693      0.250
21            7.911      2.850      1.49700       81.6
22        23617.035      0.750      1.65844       50.9
23            9.426      5.844
24           26.720      1.850      1.60562       43.7
25          -11.774      1.091
26           -7.533      0.800      1.80100       35.0
27          -26.898      8.200
28             ∞        1.050      1.51633       64.1
29             ∞          -
（表２６）
各種データ
ズーム比（変倍比）    2.94
短焦点距離端          中間焦点距離          長焦点距離端
FNO.            2.9                   2.8                   2.9
f             15.30                 28.00                 45.00
PM            0.000                 0.000                 0.000
W              18.5                   9.8                   6.1
Y              5.00                  5.00                  5.00
fB             1.00                  1.00                  1.00
L             70.92                 70.92                 70.92
d5            4.000                 4.000                 4.000
d7            1.400                 8.516                11.329
d14          14.621                 8.515                 0.951
d18           3.750                 2.741                 7.492
（表２７）
近１ｗ                近２ｗ                近３ｗ
PM           -0.023                -0.024                -0.060
fB             1.00                  1.00                  1.00
L             70.92                 72.67                 72.67
d5            1.684                 4.000                 0.485
d7            3.716                 3.151                 6.665
d14          14.621                14.621                14.621
d18           3.750                 3.750                 3.750
（表２８）
近１ｍ                近２ｍ                近３ｍ
PM           -0.042                -0.043                -0.109
fB             1.00                  1.00                  1.00
L             70.92                 72.67                 72.67
d5            1.684                 4.000                 0.488
d7           10.832                10.266                13.779
d14          14.621                14.621                14.621
d18           3.750                 3.750                 3.750
（表２９）
近１ｔ                近２ｔ                近３ｔ
PM           -0.068                -0.069                -0.175
fB             1.00                  1.00                  1.00
L             70.92                 72.67                 72.67
d5            1.684                 4.000                 0.487
d7           13.646                13.080                16.592
d14          14.621                14.621                14.621
d18           3.750                 3.750                 3.750
（表３０）
レンズ群データ
群          始面          焦点距離
1              1             33.74
1a             1            63.857
1b             6            63.427
2              8            -10.62
3             16             28.16
4             19             34.96
【００６４】
［数値実施例６］
図３０〜図４２と表３１〜表３７は、本発明によるズームレンズ系の数値実施例６を示している。図３０は、短焦点距離端における無限遠合焦時のレンズ構成図である。図３１、図３２、図３３はそれぞれ、短焦点距離端、中間焦点距離、長焦点距離端それぞれの無限遠合焦時の諸収差図である。図３４、図３５、図３６はそれぞれ、短焦点距離端での通常撮影モードの所定の撮影距離（0.30ｍ）、マクロ撮影モードの所定の撮影距離（0.30ｍ）、マクロ撮影モードの最短撮影距離（0.18ｍ）における諸収差図である。図３７、図３８、図３９はそれぞれ、中間焦点距離での通常撮影モードの所定の撮影距離（0.30ｍ）、マクロ撮影モードの所定の撮影距離（0.30ｍ）、マクロ撮影モードの最短撮影距離（0.18ｍ）における諸収差図である。図４０、図４１、図４２はそれぞれ、長焦点距離端での通常撮影モードの所定の撮影距離（0.30ｍ）、マクロ撮影モードの所定の撮影距離（0.30ｍ）、マクロ撮影モードの最短撮影距離（0.18ｍ）における諸収差図である。表３１は面データ、表３２は無限遠合焦時の各種データ、表３３は短焦点距離端での通常撮影モードの所定の撮影距離（0.30ｍ）、マクロ撮影モードの所定の撮影距離（0.30ｍ）、マクロ撮影モードの最短撮影距離（0.18ｍ）における各レンズ間隔データ、表３４は中間焦点距離での通常撮影モードの所定の撮影距離（0.30ｍ）、マクロ撮影モードの所定の撮影距離（0.30ｍ）、マクロ撮影モードの最短撮影距離（0.18ｍ）における各レンズ間隔データ、表３５は長焦点距離端での通常撮影モードの所定の撮影距離（0.30ｍ）、マクロ撮影モードの所定の撮影距離（0.30ｍ）、マクロ撮影モードの最短撮影距離（0.18ｍ）における各レンズ間隔データ、表３６は非球面データ、表３７はレンズ群データである。
【００６５】
本数値実施例６のズームレンズ系は、物体側から順に、負の屈折力の第１レンズ群Ｇ１’と、正の屈折力の第２レンズ群Ｇ２’とからなる。第１レンズ群Ｇ１’と第２レンズ群Ｇ２’の間に位置する絞りＳは、第２レンズ群Ｇ２’と一体に移動する。第２レンズ群Ｇ２’と像面Ｉとの間には、光学フィルタＯＰとカバーガラスＣＧが配置されている。
【００６６】
第１レンズ群Ｇ１’は、物体側から順に、負の屈折力の第１ａレンズ群Ｇ１ａ’と、正の屈折力の第１ｂレンズ群Ｇ１ｂ’とからなる。第１ａレンズ群Ｇ１ａ’は、物体側から順に、物体側に凸の負メニスカスレンズ１１’と、物体側に凸の負メニスカスレンズ１２’と、物体側に凸の負メニスカスレンズ１３’とからなる。負メニスカスレンズ１１’は、その像側の面に合成樹脂材料による非球面層が接着形成されたハイブリッドレンズである。第１ｂレンズ群Ｇ１ｂ’は、物体側に凸の正メニスカス単レンズ１４’からなる。
【００６７】
第２レンズ群Ｇ２’は、物体側から順に、両凸正レンズ２１’、物体側から順に位置する両凸正レンズ２２’と両凹負レンズ２３’の接合レンズ、及び両凸正レンズ２４’からなる。両凸正レンズ２１’と両凸正レンズ２４’はともに、その両側の面が非球面である。
（表３１）
面データ
面番号          R          d          N(d)        ν(d)
1            26.218      1.637      1.69680       55.5
2            13.873      0.177      1.52972       42.7
3*           12.067      1.000
4            16.556      1.200      1.77250       49.6
5             8.739      3.611
6           520.355      1.200      1.77251       49.6
7            15.115      4.435
8            20.342      2.243      1.84666       23.8
9            56.198        d9
10絞           ∞       1.000
11*           7.708      5.800      1.49842       76.7
12*         -34.307      0.304
13           11.901      2.747      1.49700       81.6
14          -14.016      1.000      1.83400       37.3
15            9.400      0.435
16*          17.216      2.266      1.55332       71.7
17*         -24.807       d17
18             ∞        0.500      1.51633       64.1
19             ∞        0.620
20             ∞        0.500      1.51633       64.1
21             ∞          -
（表３２）
各種データ
ズーム比（変倍比）    2.89
短焦点距離端          中間焦点距離          長焦点距離端
FNO.            2.8                   3.7                   4.6
f              5.14                 10.01                 14.83
PM            0.000                 0.000                 0.000
W              48.7                  27.1                  18.8
Y              5.00                  5.00                  5.00
fB             0.53                  0.53                  0.53
L             62.05                 52.14                 52.33
d7            4.435                 4.435                 4.435
d9           21.817                 6.354                 1.049
d17           9.026                14.577                20.071
（表３３）
近１ｗ                近２ｗ                近３ｗ
PM           -0.021                -0.020                -0.040
fB             0.53                  0.53                  0.53
L             62.05                 62.62                 62.62
d7            4.816                 4.435                 4.795
d9           21.437                22.386                22.026
d17           9.026                 9.026                 9.026
（表３４）
近１ｍ                近２ｍ                近３ｍ
PM           -0.039                -0.038                -0.071
fB             0.53                  0.53                  0.53
L             52.14                 52.68                 52.68
d7            4.801                 4.435                 4.755
d9            5.988                 6.901                 6.581
d17          14.577                14.577                14.577
（表３５）
近１ｔ                近２ｔ                近３ｔ
PM           -0.057                -0.057                -0.106 
fB             0.53                  0.53                  0.53
L             52.33                 52.87                 52.87
d7            4.801                 4.435                 4.756
d9            0.682                 1.596                 1.276
d17          20.071                20.071                20.071
（表３６）
非球面データ（表示していない非球面係数は0.00である）
面番号   K            A4             A6             A8
3      0.000    -0.6937E-04    -0.1141E-06    -0.4468E-08
11     0.000    -0.8088E-04    -0.1122E-05
12     0.000     0.3633E-03    -0.7727E-05     0.2257E-06
16     0.000     0.6590E-03    -0.1992E-04
17     0.000     0.7315E-03     0.2868E-05
（表３７）
レンズ群データ
群          始面          焦点距離
1              1            -11.97
1a             1             -7.51
1b             8             36.61
2             11             13.65
【００６８】
各数値実施例の条件式（１）、（２）に対応する値を表３８に示す。但し、数値実施例６については、前提となるレンズ構成が異なるため、条件式（１）、（２）に対応する値を算出することができない。
（表３８）
実施例１  実施例２  実施例３  実施例４  実施例５  実施例６
条件式（１）  1.59      1.45      1.28      1.75      1.88         -
条件式（２） -2.66     -2.62     -2.53     -2.70     -2.65         -
【００６９】
表３８から明らかなように、数値実施例１〜数値実施例５は、条件式（１）、（２）を満足しており、諸収差図から明らかなように諸収差は比較的よく補正されている。
【００７０】
以上の実施形態では、正負正正の４群構成および負正の２群構成のズームレンズ系を例示して説明したが、本発明はこれ以外のあらゆる構成のズームレンズ系に適用可能である。
【００７１】
本特許出願に係る発明の技術的範囲に含まれるズームレンズ系に、実質的なパワーを有さないレンズまたはレンズ群を追加したとしても、本特許出願に係る発明の技術的範囲を回避したことにはならない。
【符号の説明】
【００７２】
Ｇ１  正の屈折力の第１レンズ群（特定のレンズ群）
Ｇ１ａ  正の屈折力の第１ａレンズ群
１１  負レンズ
１２  正レンズ
１３  正レンズ
Ｇ１ｂ  正の屈折力の第１ｂレンズ群（フォーカスレンズ群）
１４  正単レンズ（フォーカスレンズ）
Ｇ２  負の屈折力の第２レンズ群
２１  負レンズ
２２  負レンズ
２３  正レンズ
２４  負レンズ
Ｇ３  正の屈折力の第３レンズ群
３１  正レンズ
３２  負レンズ
Ｇ４  正の屈折力の第４レンズ群
４１  正レンズ
４２  正レンズ
４３  負レンズ
４４  正レンズ
４５  負レンズ
Ｇ１’  負の屈折力の第１レンズ群（特定のレンズ群）
Ｇ１ａ’  負の屈折力の第１ａレンズ群
１１’  負レンズ
１２’  負レンズ
１３’  負レンズ
Ｇ１ｂ’  正の屈折力の第１ｂレンズ群（フォーカスレンズ群）
１４’  正単レンズ（フォーカスレンズ）
Ｇ２’  正の屈折力の第２レンズ群
２１’  正レンズ
２２’  正レンズ
２３’  負レンズ
２４’  正レンズ
Ｓ  絞り
ＯＰ  光学フィルタ
ＣＧ  カバーガラス
Ｉ  像面
【図１】
2014085561.tif 000003
【図２】
2014085561.tif 000004
【図３】
2014085561.tif 000005
【図４】
2014085561.tif 000006
【図５】
2014085561.tif 000007
【図６】
2014085561.tif 000008
【図７】
2014085561.tif 000009
【図８】
2014085561.tif 000010
【図９】
2014085561.tif 000011
【図１０】
2014085561.tif 000012
【図１１】
2014085561.tif 000013
【図１２】
2014085561.tif 000014
【図１３】
2014085561.tif 000015
【図１４】
2014085561.tif 000016
【図１５】
2014085561.tif 000017
【図１６】
2014085561.tif 000018
【図１７】
2014085561.tif 000019
【図１８】
2014085561.tif 000020
【図１９】
2014085561.tif 000021
【図２０】
2014085561.tif 000022
【図２１】
2014085561.tif 000023
【図２２】
2014085561.tif 000024
【図２３】
2014085561.tif 000025
【図２４】
2014085561.tif 000026
【図２５】
2014085561.tif 000027
【図２６】
2014085561.tif 000028
【図２７】
2014085561.tif 000029
【図２８】
2014085561.tif 000030
【図２９】
2014085561.tif 000031
【図３０】
2014085561.tif 000032
【図３１】
2014085561.tif 000033
【図３２】
2014085561.tif 000034
【図３３】
2014085561.tif 000035
【図３４】
2014085561.tif 000036
【図３５】
2014085561.tif 000037
【図３６】
2014085561.tif 000038
【図３７】
2014085561.tif 000039
【図３８】
2014085561.tif 000040
【図３９】
2014085561.tif 000041
【図４０】
2014085561.tif 000042
【図４１】
2014085561.tif 000043
【図４２】
2014085561.tif 000044
【図４３】
2014085561.tif 000045
【図４４】
2014085561.tif 000046
【図４５】
2014085561.tif 000047
【図４６】
2014085561.tif 000048